【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
出力指示装置と、出力装置と、前記出力指示装置および前記出力装置に接続された出力制御装置と、を備える出力システムであって、
前記出力指示装置は、ユーザの指示にしたがって、出力の対象である出力データと、前記出力指示装置または前記ユーザを特定することができる照合用データと、前記出力装置において前記出力データを保存して前記出力データの出力に関する所定の処理を行うべき旨の設定を表す第１の設定データと、を含む第１の出力ジョブデータを前記出力制御装置に送信し、
前記出力制御装置は、
前記出力装置において前記出力データを保存して前記出力データの出力に関する所定の処理を行うべき旨の設定を表す第２の設定データであって、前記照合用データに応じた設定を表す第２の設定データを、前記第１の設定データと前記照合用データとに基づいて生成し、
前記第２の設定データと、前記出力データと、を含む第２の出力ジョブデータを生成し、前記出力装置に送信し、
前記出力装置は、前記第２の設定データに従って前記出力データを保存し、前記第２の設定データに従って前記出力データの出力を行う、出力システム。
【請求項２】
請求項１記載の出力システムであって、
前記照合用データは、前記出力システムを使用することが認められた前記ユーザに割り当てられたユーザ名を表すデータである、出力システム。
【請求項３】
請求項１記載の出力システムであって、
前記照合用データは、前記出力指示装置と前記出力制御装置との間のデータ通信においてデータの送信元を表すデータである、出力システム。
【請求項４】
請求項１ないし３のいずれかに記載の出力システムであって、
前記出力制御装置は、
あらかじめ用意された基準設定データであって、前記出力データの出力に関する設定であり、それぞれ前記照合用データと対応づけることができる複数の設定を格納する基準設定データを参照し、前記基準設定データに含まれる複数の設定のうちの前記第１の出力ジョブデータに含まれる前記照合用データと対応する設定と、前記第１の設定データとに基づいて、前記第２の設定データを生成する、出力システム。
【請求項５】
請求項４記載の出力システムであって、
複数の前記出力指示装置と、複数の前記出力装置と、を備え、
前記出力制御装置は、
前記基準設定データを記憶する基準設定記憶部を備え、
管理者の指示にしたがって、前記基準設定記憶部内の前記基準設定データが格納する前記設定を改変することができる、出力システム。
【請求項６】
請求項４記載の出力システムであって、さらに、
前記出力制御装置に接続されており、前記基準設定データを記憶している基準設定記憶装置を備え、
前記出力制御装置は、
前記基準設定記憶装置に対して、前記第１の出力ジョブデータに含まれる前記照合用データと対応する設定を問い合わせ、
前記基準設定記憶装置から、前記第１の出力ジョブデータに含まれる前記照合用データと対応する設定を受信する、出力システム。
【請求項７】
請求項１記載の出力システムであって、さらに、
前記出力指示装置と前記出力装置とのうち前記出力装置に近い位置に設けられ、前記出力装置と前記出力制御装置の少なくとも一方と接続されており、前記ユーザから認証用の入力を受け取ることができる認証用入力装置を備え、
前記出力制御装置は、前記認証用の入力によって前記ユーザが認証された後に前記第２の出力ジョブデータを前記出力装置に送信する、出力システム。
【請求項８】
請求項１記載の出力システムであって、さらに、
前記出力指示装置と前記出力装置とのうち前記出力装置に近い位置に設けられ、前記出力装置と前記出力制御装置の少なくとも一方と接続されており、前記ユーザから認証用の入力を受け取ることができる認証用入力装置を備え、
前記出力装置は、前記認証用の入力によって前記ユーザが認証された後に前記第２の設定データに従って前記出力データの出力を行う、出力システム。
【請求項９】
出力指示装置および出力装置に接続された出力制御装置であって、
出力の対象である出力データと、前記出力指示装置またはユーザを特定することができる照合用データと、前記出力装置において前記出力データを保存して前記出力データの出力に関する所定の処理を行うべき旨の設定を表す第１の設定データと、を含む第１の出力ジョブデータを、前記出力指示装置から受信する受信部と、
前記出力装置において前記出力データを保存して前記出力データの出力に関する所定の処理を行うべき旨の設定を表す第２の設定データであって、前記照合用データに応じた設定を表す第２の設定データを、前記第１の設定データと前記照合用データとに基づいて生成し、前記第２の設定データと、前記出力データと、を含む第２の出力ジョブデータを生成する出力ジョブデータ生成部と、
前記第２の設定データに従って前記出力データを保存し、前記第２の設定データに従って前記出力データの出力を行うことができる前記出力装置に、前記第２の出力ジョブデータを送信する送信部と、を備える、出力制御装置。
【請求項１０】
請求項９記載の出力制御装置であって、
前記照合用データは、前記出力制御装置を介した前記出力装置からの出力を認められた前記ユーザに割り当てられたユーザ名を表すデータである、出力制御装置。
【請求項１１】
請求項９記載の出力制御装置であって、
前記照合用データは、前記出力指示装置と前記出力制御装置との間のデータ通信においてデータの送信元を表すデータである、出力制御装置。
【請求項１２】
請求項９ないし１１のいずれかに記載の出力制御装置であって、
前記照合用データが所定の条件を満たす場合には、
前記第１の設定データが、前記出力装置において前記出力データを保存し、前記ユーザに対してパスワードを要求せずに前記出力データの出力を行うべき旨の指示を含む設定データであっても、
前記第２の設定データとして、前記出力装置において前記出力データを保存し、前記ユーザに対して前記パスワードを要求し、前記パスワードが認証されなかった場合には前記出力データの出力を行わず、前記パスワードが認証された場合に前記出力データの出力を行うべき旨の指示を含む設定データを生成する、出力制御装置。
【請求項１３】
請求項９ないし１２のいずれかに記載の出力制御装置であって、
前記出力装置は、画像を表示することができる画像表示部を備え、前記出力として印刷を行う印刷装置であり、
前記出力制御装置は、前記照合用データが所定の条件を満たす場合には、
前記第１の設定データが、前記出力装置において前記出力データを保存し、所定の表示条件下で前記出力データの内容を前記画像表示部に表示すべき旨の指示を含む設定データであっても、
前記第２の設定データとして、前記出力装置において前記出力データを保存し、前記出力データの内容の前記画像表示部への表示を禁じる指示を含む設定データを生成する、出力制御装置。
【請求項１４】
請求項９ないし１３のいずれかに記載の出力制御装置であって、
前記照合用データが所定の条件を満たす場合には、
前記第１の設定データが、前記出力の後も前記出力装置において前記出力データを保存すべき旨の指示を含む設定データであっても、
前記第２の設定データとして、前記出力の後は前記出力装置において前記出力データを削除すべき旨の指示を含む設定データを生成する、出力制御装置。
【請求項１５】
請求項９ないし１４のいずれかに記載の出力制御装置であって、
前記照合用データが所定の条件を満たす場合には、
前記第１の設定データが、前記出力装置において前記出力データを保存し、前記出力を行わずに待機すべき旨の指示を含む設定データであっても、
前記第２の設定データとして、前記出力装置において前記出力データを保存し、所定の出力条件が満たされた場合に前記出力データに基づいて１部、出力を行って、その後、前記出力データを保存した状態で待機すべき旨の指示を含む設定データを生成する、出力制御装置。
【請求項１６】
請求項９ないし１５のいずれかに記載の出力制御装置であって、
あらかじめ用意された基準設定データであって、前記出力データの出力に関する設定であり、それぞれ前記照合用データと対応づけることができる複数の設定を格納する基準設定データを参照し、前記基準設定データに含まれる複数の設定のうちの前記第１の出力ジョブデータに含まれる前記照合用データと対応する設定と、前記第１の設定データとに基づいて、前記第２の設定データを生成する、出力制御装置。
【請求項１７】
請求項１６記載の出力制御装置であって、さらに、
前記基準設定データを記憶する基準設定記憶部を備え、
複数の前記出力指示装置と、複数の前記出力装置と、に接続されており、
管理者の指示にしたがって、前記基準設定記憶部内の前記基準設定データが格納する前記設定を改変することができる、出力制御装置。
【請求項１８】
請求項９記載の出力制御装置であって、
前記出力指示装置と前記出力装置とのうち前記出力装置に近い位置に設けられ、前記出力装置と前記出力制御装置の少なくとも一方と接続されており、前記ユーザから認証用の入力を受け取ることができる認証部によって前記ユーザが認証された後に、前記送信部は、前記第２の出力ジョブデータを前記出力装置に送信する、出力制御装置。
【請求項１９】
出力装置を使用して出力を行う方法であって、
（ａ）出力指示装置を使用して、出力の対象である出力データと、前記出力指示装置または前記出力指示装置を使用しているユーザを特定することができる照合用データと、前記出力装置において前記出力データを保存して前記出力データの出力に関する所定の処理を行うべき旨の設定を表す第１の設定データと、を含む第１の出力ジョブデータを生成する工程と、
（ｂ）前記出力装置において前記出力データを保存して前記出力データの出力に関する所定の処理を行うべき旨の設定を表す第２の設定データであって、前記照合用データに応じた設定を表す第２の設定データを、前記第１の設定データと前記照合用データとに基づいて生成する工程と、
（ｃ）前記第２の設定データと、前記出力データと、を含む第２の出力ジョブデータを生成する工程と、
（ｄ）前記出力装置を使用して、前記第２の設定データに従って前記出力データを保存し、前記第２の設定データに従って前記出力データの出力を行う工程と、を含む出力方法。
【請求項２０】
出力指示装置および出力装置に接続された出力制御装置において実行され、前記出力装置から出力を行わせるコンピュータプログラムであって、
出力の対象である出力データと、前記出力指示装置またはユーザを特定することができる照合用データと、前記出力装置において前記出力データを保存して前記出力データの出力に関する所定の処理を行うべき旨の設定を表す第１の設定データと、を含む第１の出力ジョブデータを、前記出力指示装置から受信する機能と、
前記出力装置において前記出力データを保存して前記出力データの出力に関する所定の処理を行うべき旨の設定を表す第２の設定データであって、前記照合用データに応じた設定を表す第２の設定データを、前記第１の設定データと前記照合用データとに基づいて生成し、前記第２の設定データと、前記出力データと、を含む第２の出力ジョブデータを生成する機能と、
前記第２の設定データに従って前記出力データを保存し、前記第２の設定データに従って前記出力データの出力を行うことができる前記出力装置に、前記第２の出力ジョブデータを送信する機能と、を前記出力制御装置に実現させるコンピュータプログラム。
【手続補正２】
【補正対象書類名】明細書
【補正対象項目名】００１１
【補正方法】変更
【補正の内容】
【００１１】
上記目的を達成するために、本発明の一態様である出力システムにおいて、以下のような構成を採用する。この出力システムは、出力指示装置と、出力装置と、出力指示装置および出力装置に接続されている出力制御装置と、を備える。
出力指示装置は、ユーザの指示にしたがって、出力の対象である出力データと、出力指示装置またはユーザを特定することができる照合用データと、出力装置において出力データを保存して出力データの出力に関する所定の処理を行うべき旨の設定を表す第１の設定データと、を含む第１の出力ジョブデータを出力制御装置に送信する。
出力制御装置は、
出力装置において出力データを保存して出力データの出力に関する所定の処理を行うべき旨の設定を表す第２の設定データであって、照合用データに応じた設定を表す第２の設定データを、第１の設定データと照合用データとに基づいて生成し、
第２の設定データと、出力データと、を含む第２の出力ジョブデータを生成し、出力装置に送信する。
出力装置は、第２の設定データに従って出力データを保存し、第２の設定データに従って出力データの出力を行う。
【手続補正３】
【補正対象書類名】明細書
【補正対象項目名】００５５
【補正方法】変更
【補正の内容】
【００５５】
書き換え可能な記憶部であるＲＡＭ４０３は、半導体メモリと、ハードディスクとを含む。ユーザサーバ４００において、ＲＡＭ４０３内に格納されたアプリケーションプログラムが実行されることで、ＣＰＵ４０２は、様々な機能を実現する。ＣＰＵ４０２がＲＡＭ４０３、ＲＯＭ４０４などを使用して行った処理の結果は、ディスプレイ４０６に表示される。また、ＣＰＵ４０２は、インターフェイス４０５およびネットワークＮＴを介して、印刷サーバ３００とデータ通信を行う。